(57)【要約】【課題】開閉装置を有する樹脂サッシにおいてコストが低く、かつ額縁材を取付ける作業性も良好なサッシを提供する。【解決手段】上下枠及び左右の縦枠を接合して枠組みした樹脂製の枠体１に、樹脂製の框体３を有してなる障子２を室内外方向に開閉自在に納め、枠体１の室内側には上補助枠３０と下補助枠３１及び左右の縦補助枠３２からなる補助枠体５が設けられ、補助枠体５の室内側面は枠体１の室内面より室内側寄りに張り出して配置されると共に、四周に渡って面一状とされ、補助枠体５を構成する下補助枠３１または縦補助枠３２の室内側面に障子２を開閉させる開閉装置７を取付けてなる。【選択図】図１
2010112118.tif 000002
【特許請求の範囲】
【請求項１】
上下枠及び左右の縦枠を接合して枠組みした樹脂製の枠体に、樹脂製の框体を有してなる障子を室内外方向に開閉自在に納めたサッシにおいて、
前記枠体の室内側には上補助枠と下補助枠及び左右の縦補助枠からなる補助枠体が設けられ、該補助枠体の室内側面は前記枠体の室内面より室内側寄りに張り出して配置されると共に、四周に渡って面一状とされ、前記補助枠体を構成する下補助枠または縦補助枠の室内側面に前記障子を開閉させる開閉装置を取付けてなることを特徴とするサッシ。
【請求項２】
前記補助枠体の室内側面は前記枠体の室内側に設けられる額縁材の室外面が当接する当接面とされることを特徴とする請求項１記載のサッシ。
【請求項３】
前記枠体は外周面が室内面より室内側まで突出する室内突出片を有し、前記補助枠体は前記室内突出片に内周側から当接する枠体当接部と、前記室内側面から室内側に伸びて躯体開口部に内周側から当接する躯体当接部とを有し、前記枠体当接部は前記室内突出片と重合した状態で外周側からネジ止め固定され、前記躯体当接部は躯体開口部に当接した状態で内周側からネジ止め固定されることを特徴とする請求項１または２記載のサッシ。
【請求項４】
前記補助枠体を構成する上補助枠及び下補助枠は前記枠体を構成する上枠及び下枠の室内面内周端部に設けられる被係合部に係合する係合部を有してなることを特徴とする請求項１〜３のいずれか１項に記載のサッシ。
【請求項５】
前記補助枠体の上補助枠及び下補助枠には内周面に網戸を係止する被係止部が係止されることを特徴とする請求項１〜４のいずれか１項に記載のサッシ。
【請求項６】
前記下補助枠または縦補助枠は前記開閉装置が取付けられる部分の外周側に中空部を有してなることを特徴とする請求項１〜５のいずれか１項に記載のサッシ。
【請求項７】
前記補助枠体は金属材からなることを特徴とする請求項１〜６のいずれか１項に記載のサッシ。
【請求項８】
前記下補助枠または縦補助枠は前記開閉装置の取付部として前記枠体の内周面よりも内周側となる張り出し部を有することを特徴とする請求項１〜７のいずれか１項に記載のサッシ。
【発明の詳細な説明】
【技術分野】
【０００１】
本発明は、樹脂製の枠体に障子を開閉自在に納めてなるサッシに関し、特に枠体の室内側に補助枠体を設け、この補助枠体に障子を開閉させる開閉装置を取付けてなるサッシに関する。
【背景技術】
【０００２】
従来、建物の躯体開口部に取付けられるサッシとして、枠体内に納められる障子を、室内外方向に開閉自在とした辷り出し窓が、従来知られている。辷り出し窓は、障子が枠体に開閉機構を介して支持されており、開閉機構は枠体の室内側に設けられる開閉装置と連係している。そして、開閉装置を操作することにより、障子を室内外方向に開閉することができる。
【０００３】
開閉装置は、手で操作するハンドルあるいはチェーンを有したものや、電動で操作するユニットを有したものなどがある。この開閉装置を枠体に取付けるため、金属材からなる枠体の室内側に取付板を設けることがある。このようなサッシとしては、例えば特許文献１に挙げるようなものがある。
【特許文献１】特開２００３−１０６０４０号公報
【発明の開示】
【発明が解決しようとする課題】
【０００４】
一方、上下枠及び左右の縦枠を溶着接合して枠組みした樹脂製の枠体に、樹脂製の框体を有した障子を納めた樹脂サッシが知られている。樹脂サッシは、枠体を構成する上下枠及び左右の縦枠が、同じ断面形状に形成され、各枠材の両端面が４５°の角度を有する傾斜面状とされると共に、枠材同士が突き合わされ溶着されることで、枠体が枠組みされる。従来、樹脂サッシを辷り出し窓とする際には、枠体にカムラッチハンドルあるいはグレモンハンドルを取付ける構成が一般的であった。これに対し、窓を高所に設ける場合などには、遠隔操作を行うことのできる開閉装置を枠体に取付けることが必要となる。
【０００５】
開閉装置を枠体に取付けるためには、取付けられる枠材に取付部分を設けたり、あるいは強度確保のために室内側に張り出すように形成する必要がある。前述のように樹脂サッシは、枠体を構成する各枠材が全て同じ断面形状を有するため、樹脂サッシを辷り出し窓とする場合に開閉装置を取付可能な構造とするためには、開閉装置が取付けられる枠材だけでなく、全ての枠材の構成を変更しなければならない。このため、コストが高くなるという問題があった。
【０００６】
また、サッシにおいて枠体の室内側には額縁材が配設される。額縁材は枠体の四周に渡って設けられ、意匠性を良好にするため、室内側面は面一状となるように構成される。ここで、枠体を構成する枠材に、開閉装置を取付けるために取付板などを設けた場合、開閉装置が取付けられる枠材において額縁材の室外面は取付板に当接し、開閉装置が取付けられる枠材以外の枠材においては額縁材の室外面は枠材の室外面に当接するため、そのままでは額縁材の室外面が面一状とはならない。したがって、開閉装置が取付けられる枠材については額縁材の室内外方向長さを若干変える必要がある。このために現場で額縁材を僅かな長さだけ加工することとなるが、このような加工は困難であり、作業性を悪化させることとなる。
【０００７】
本発明は前記課題を鑑みてなされたものであり、開閉装置を有する樹脂サッシにおいてコストが低く、かつ額縁材を取付ける作業性も良好なサッシを提供することを目的とする。
【課題を解決するための手段】
【０００８】
前記課題を解決するため、本発明に係るサッシは、上下枠及び左右の縦枠を接合して枠組みした樹脂製の枠体に、樹脂製の框体を有してなる障子を室内外方向に開閉自在に納めたサッシにおいて、
前記枠体の室内側には上補助枠と下補助枠及び左右の縦補助枠からなる補助枠体が設けられ、該補助枠体の室内側面は前記枠体の室内面より室内側寄りに張り出して配置されると共に、四周に渡って面一状とされ、前記補助枠体を構成する下補助枠または縦補助枠の室内側面に前記障子を開閉させる開閉装置を取付けてなることを特徴として構成されている。
【０００９】
また、本発明に係るサッシは、前記補助枠体の室内側面は前記枠体の室内側に設けられる額縁材の室外面が当接する当接面とされることを特徴として構成されている。
【００１０】
さらに、本発明に係るサッシは、前記枠体は外周面が室内面より室内側まで突出する室内突出片を有し、前記補助枠体は前記室内突出片に内周側から当接する枠体当接部と、前記室内側面から室内側に伸びて躯体開口部に内周側から当接する躯体当接部とを有し、前記枠体当接部は前記室内突出片と重合した状態で外周側からネジ止め固定され、前記躯体当接部は躯体開口部に当接した状態で内周側からネジ止め固定されることを特徴として構成されている。
【００１１】
さらにまた、本発明に係るサッシは、前記補助枠体を構成する上補助枠及び下補助枠は前記枠体を構成する上枠及び下枠の室内面内周端部に設けられる被係合部に係合する係合部を有してなることを特徴として構成されている。
【００１２】
そして、本発明に係るサッシは、前記補助枠体の上補助枠及び下補助枠には内周面に網戸を係止する被係止部が係止されることを特徴として構成されている。
【００１３】
また、本発明に係るサッシは、前記下補助枠または縦補助枠は前記開閉装置が取付けられる部分の外周側に中空部を有してなることを特徴として構成されている。
【００１４】
さらに、本発明に係るサッシは、前記補助枠体は金属材からなることを特徴として構成されている。
【００１５】
さらにまた、本発明に係るサッシは、前記下補助枠または縦補助枠は前記開閉装置の取付部として前記枠体の内周面よりも内周側となる張り出し部を有することを特徴として構成されている。
【発明の効果】
【００１６】
本発明に係るサッシによれば、枠体の室内側には上補助枠と下補助枠及び左右の縦補助枠からなる補助枠体が設けられ、補助枠体の室内側面は枠体の室内面より室内側寄りに張り出して配置されると共に、四周に渡って面一状とされ、補助枠体を構成する下補助枠または縦補助枠の室内側面に障子を開閉させる開閉装置を取付けてなることにより、開閉装置を取付けるにもかかわらず枠体は開閉装置を取付けるのに対応した形状とする必要がなく、開閉装置を有しないサッシの枠材をそのまま使用することができるので、コストダウンを図ることができ、また補助枠体の室内側に配置される額縁材が、四周に渡って面一状に補助枠体に対して当接することができ、額縁材を室内外方向長さの調節なしに取付けることができるので、サッシの取付における作業性を良好にすることができる。
【００１７】
また、本発明に係るサッシによれば、補助枠体の室内側面は枠体の室内側に設けられる額縁材の室外面が当接する当接面とされることにより、額縁材をサッシに対して隙間なく取付けることができると共に、位置決めも容易にすることができ、作業性をより向上させることができる。
【００１８】
さらに、本発明に係るサッシによれば、枠体は外周面が室内面より室内側まで突出する室内突出片を有し、補助枠体は室内突出片に内周側から当接する枠体当接部と、室内側面から室内側に伸びて躯体開口部に内周側から当接する躯体当接部とを有し、枠体当接部は室内突出片と重合した状態で外周側からネジ止め固定され、躯体当接部は躯体開口部に当接した状態で内周側からネジ止め固定されることにより、枠体と補助枠体を容易に連結固定できると共に、これらを容易に躯体開口部に対しても強固に固定することができる。
【００１９】
さらにまた、本発明に係るサッシによれば、補助枠体を構成する上補助枠及び下補助枠は枠体を構成する上枠及び下枠の室内面内周端部に設けられる被係合部に係合する係合部を有してなることにより、枠体と補助枠体を強固に固定することができる。
【００２０】
そして、本発明に係るサッシによれば、補助枠体の上補助枠及び下補助枠には内周面に網戸を係止する被係止部が係止されることにより、網戸を簡易にかつ強固に固定することができる。
【００２１】
また、本発明に係るサッシによれば、下補助枠または縦補助枠は開閉装置が取付けられる部分の外周側に中空部を有してなることにより、開閉装置により大きな荷重がかかる枠材の強度を充分に確保することができる。
【００２２】
さらに、本発明に係るサッシによれば、補助枠体は金属材からなることにより、安価に補助枠体を形成することができる。
【００２３】
さらにまた、本発明に係るサッシによれば、下補助枠または縦補助枠は開閉装置の取付部として枠体の内周面よりも内周側となる張り出し部を有することにより、開閉装置が枠体に干渉することがなく、枠体に追加の加工等を行う必要がないようにすることができる。
【発明を実施するための最良の形態】
【００２４】
本発明の実施形態について図面に沿って詳細に説明する。図１には本実施形態におけるサッシの縦断面図を、図２には本実施形態におけるサッシの横断面図を、それぞれ示している。これら各図に示すように、本実施形態におけるサッシは、建物の躯体開口部Ａに取付けられるものであって、枠体１内に障子２を室内外方向に開閉自在となるように納めて構成されている。このサッシは、障子２が図１の状態から上辺側を支点として下辺側が室外側に開くように、枠体１に開閉機構８を介して支持された横辷り出し窓として構成されている。
【００２５】
枠体１は、上枠１０と下枠１１及び左右の縦枠１２、１２を方形状に枠組みして構成されている。枠体１を構成する上枠１０と下枠１１及び縦枠１２は、いずれも樹脂材により形成されており、中空部を有する同じ断面形状とされている。図示しないが上枠１０と下枠１１及び縦枠１２は、両端部がそれぞれ４５°の角度をなす傾斜面状に加工されており、これらが突き合わされ溶着されることにより、各枠材が接合されて枠体１が枠組みされている。なお、各枠材を接着により接合し、枠体１を枠組みするようにしてもよい。
【００２６】
障子２は、上框２０と下框２１及び左右の縦框２２、２２を方形状に框組みして構成された框体３に、ガラス板からなるパネル体４を納めて構成されている。框体３を構成する上框２０と下框２１及び縦框２２は、いずれも樹脂材により形成されており、中空部をゆする同じ断面形状とされている。図示しないが上框２０と下框２１及び縦框２２は、両端部がそれぞれ４５°の角度をなす傾斜面状に加工されており、これらが突き合わされ溶着されることにより、框体３が框組みされている。
【００２７】
枠体１の室内側には、補助枠体５が四周に渡って設けられる。補助枠体５は、上枠１０に取付けられる上補助枠３０と、下枠１１に取付けられる下補助枠３１と、縦枠１２に取付けられる縦補助枠３２からなっており、金属材によって形成されている。上補助枠３０は、上枠１０の室内面１０ａと平行で室内側寄りに配置される室内側面３０ａを有している。同様に下補助枠３１は下枠１１の室内面１１ａと平行で室内側寄りに配置される室内側面３１ａを、縦補助枠３２は縦枠１２の室内面１２ａと平行で室内側寄りに配置される室内側面３２ａを、それぞれ有している。
【００２８】
補助枠体５の各室内側面３０ａ、３１ａ、３２ａは、四周に渡って面一状となるように形成されている。補助枠体５よりも室内側には、躯体開口部に沿って四周に渡り額縁材６が設けられている。額縁材６は、室外面が補助枠体５の各室内側面３０ａ、３１ａ、３２ａに当接し固定されている。また、額縁材６の室内面も躯体開口部の室内端において面一状とされている。したがって、額縁材６は各辺とも同じ室内外方向長さを有している。
【００２９】
上枠１０と下枠１１の室内面内周端部には、それぞれ突起状の被係合部１５が形成されている。一方、補助枠体５の上補助枠３０と下補助枠３１には、被係合部１５と係合する係合部３０ｄ、３１ｄがそれぞれ形成されている。これらが係合することにより、枠体１と補助枠体５が強固に固定される。
【００３０】
補助枠体５を構成する下補助枠３１には、室内側に突出するように開閉機構８と連係した開閉装置７が取付けられる。開閉装置７は、室内側に露出する本体部７ａと、本体部７ａから突出し手で持って操作を行うハンドル部７ｂと、開閉機構８と連係する連係部７ｃとを備えている。下補助枠３１には、開閉装置７のうち開閉機構８と連係する連係部７ｃを納めることのできる開閉装置取付部３１ｆが、室内側面３１ａより室外側に形成されている。この開閉装置取付部３１ｆは、枠体１を構成する下枠１１の内周面よりも内周側に位置するように、下補助枠３１が内周側に張り出した張り出し部に形成されている。また、下補助枠３１には、開閉装置取付部３１ｆより下部に断面中空状の中空部３１ｇが形成されており、開閉装置７が設けられる下補助枠３１の強度を確保するようにしている。
【００３１】
補助枠体５の内周面には、網戸９が設けられる。網戸９は、方形状に枠組みされた網戸枠４０により網部４１を保持してなり、網戸枠４０の上辺と下辺の室外端部には、係止部４０ａが形成されている。補助枠体５を構成する上補助枠３０と下補助枠３１には、それぞれ内周面の室外端部に、被係止部３０ｅ、３１ｅが形成されており、これらにそれぞれ網戸枠４０の係止部４０ａを係止することで、網戸９が補助枠体５に取付けられる。
【００３２】
図３には、サッシの室内側から見た正面図を示している。この図に示すように、網戸９を構成する網戸枠４０は、４辺の枠材を角部で連結部材４２により連結することで、枠組みされている。一方、補助枠体５を構成する枠材は、連結される枠材の側面に端面が突き当てられている。
【００３３】
上補助枠３０は、両端面がそれぞれ左右の縦補助枠３２の側面に突き当てられている。また、縦補助枠３２は、上端部が通しの状態とされると共に、下端面は下補助枠３１の側面に突き当てられている。そして、下補助枠３１は、両端部がそれぞれ通しの状態となっている。開閉装置７は、下補助枠３１において左右方向略中央位置に配置される。
【００３４】
次に、枠体１と補助枠体５及びこれらの躯体開口部に対する取付構造について説明する。図４には、枠体１と補助枠体５の分解縦断面図を示している。この図に示すように、枠体１を構成する上枠１０と下枠１１には、外周面の室内外方向中間位置に外周フィン部１３が形成されている。外周フィン部１３は、躯体開口部の室外面に当接し、ビス止めされることで枠体１を躯体開口部に固定する。
【００３５】
また、上枠１０と下枠１１の外周面には、各枠の室内面より室内側まで突出する室内突出片１４が形成されている。室内突出片１４は、各枠の外周面を室内側に延長した構成を有しているため、外周フィン部１３より室内側の外周面と共に躯体開口部の内周面に当接する。
【００３６】
補助枠体５を構成する上補助枠３０と下補助枠３１の外周面は、室内突出片１４に対し内周側から当接する枠体当接部３０ｂ、３１ｂと、室内側面３０ａ、３１ａから室内側に伸びて躯体開口部の内周面に内周側から当接する躯体当接部３０ｃ、３１ｃとで構成されている。枠体当接部３０ｂ、３１ｂは、それぞれ上枠１０と下枠１１の室内突出片１４と重合し、外周側からネジ止め固定される。一方、躯体当接部３０ｃ、３１ｃは、躯体開口部の内周面に当接し、内周側からネジ止め固定される。
【００３７】
図５には、枠体１と補助枠体５の分解横断面図を示している。この図に示すように、枠体１を構成する縦枠１２も、上枠１０や下枠１１と同様に外周フィン部１３及び室内突出片１４を有し、縦補助枠３２は枠体当接部３２ｂと躯体当接部３２ｃを有している。そして、縦補助枠３２の枠体当接部３２ｂは縦枠１２の室内突出片１４に内周側から当接し重合すると共に、外周側からネジ止め固定される。また、縦補助枠３２の躯体当接部３２ｃは、躯体開口部の内周面に当接し、内周側からネジ止め固定される。
【００３８】
このように、枠体１と補助枠体５の連結及び躯体開口部に対する取付構造は、四周に渡って同様の構成からなり、補助枠体５は枠体１の内周側に重合し外周側からネジ止めされ、躯体開口部に対しては内周側からネジ止め固定されるので、枠体１と補助枠体５を容易に連結固定できると共に、これらを容易に躯体開口部に対しても強固に固定することができる。
【００３９】
サッシの躯体開口部に対する取付に際しては、まず枠体１を予め枠組みしておき、室内側に補助枠体５を構成する各枠材を内周側から当接させると共に外周側からネジ止め固定し、枠体１の外周フィン部１３を躯体開口部に当接させてネジ止めすると共に、補助枠体５の躯体当接部３０ｃ、３１ｃ、３２ｃを躯体開口部の内周面に当接させてネジ止め固定する。この状態で、補助枠体５の室内側面３０ａ、３１ａ、３２ａは、四周に渡って面一状となっており、この室内側面及び躯体開口部の内周面に沿うように額縁材６を取付固定する。
【００４０】
本実施形態のサッシは、枠体１の室内側に四周に渡る補助枠体５が取付けられ、補助枠体５は室内側面３０ａ、３１ａ、３２ａが枠体１の室内面よりも室内側に張り出すように配置されると共に、四周に渡って面一状となるように形成されているため、補助枠体５の室内側に配置される額縁材６が、四周に渡って面一状に補助枠体５に対して当接することができ、額縁材６を室内外方向長さの調節なしに取付けることができる。したがって、サッシの取付における作業性を良好にすることができる。また、枠体１は開閉装置７が設けられない、例えばカムラッチハンドルやグレモンハンドルが取付けられる枠材をそのまま用いることができ、部品の共用化によるコストダウンを図ることができる。
【００４１】
以上、本発明の実施形態について説明したが、本発明の適用は本実施形態には限られず、その技術的思想の範囲内において様々に適用されうるものである。例えば、本実施形態では、開閉装置７を下補助枠３１に取付けることとしたが、縦補助枠３２に取付けるようにしてもよい。この場合には、縦補助枠３２が本実施形態の下補助枠３１と同じ形状に形成されて開閉装置取付部が設けられる。また、本実施形態では、補助枠体５を金属材で構成し、補助枠体５を安価に製造できるようにしているが、樹脂材によって補助枠体５を構成してもよい。
【図面の簡単な説明】
【００４２】
【図１】本実施形態におけるサッシの縦断面図である。
【図２】本実施形態におけるサッシの横断面図である。
【図３】サッシの室内側から見た正面図である。
【図４】枠体と補助枠体の分解縦断面図である。
【図５】枠体と補助枠体の分解横断面図である。
【符号の説明】
【００４３】
１    枠体
２    障子
３    框体
４    パネル体
５    補助枠体
６    額縁材
７    開閉装置
８    開閉機構
９    網戸
１０    上枠
１１    下枠
１２    縦枠
１３    外周フィン部
１４    室内突出片
１５    被係合部
３０    上補助枠
３０ａ  室内側面
３０ｂ  枠体当接部
３０ｃ  躯体当接部
３０ｄ  係合部
３０ｅ  被係止部
３１    下補助枠
３１ａ  室内側面
３１ｂ  枠体当接部
３１ｃ  躯体当接部
３１ｄ  係合部
３１ｅ  被係止部
３１ｆ  開閉装置取付部
３１ｇ  中空部
３２    縦補助枠
３２ａ  室内側面
３２ｂ  枠体当接部
３２ｃ  躯体当接部
【図１】
2010112118.tif 000003
【図２】
2010112118.tif 000004
【図３】
2010112118.tif 000005
【図４】
2010112118.tif 000006
【図５】
2010112118.tif 000007